(57)【要約】  一般的に、従来のＬＥＤランプでは、筐体がヒートシンクとして機能しているため、頑強な金属製の筐体が使用されることが多い。また、筐体の形状は、放熱性を高めるための様々な形状が利用されており、統一が図られていない。その結果、従来のＬＥＤランプは、リサイクル時に容易に解体することができないという問題があった。そこで、リサイクル時の解体が容易なランプを提供することを目的とする。ランプ（１０）は、筒形状の筐体（１１）と、半導体発光素子を有するＬＥＤモジュール（１０２）と、筐体（１１）の内部に設けられ、半導体発光素子を発光させるための電源回路（１０４）とを備え、筐体（１１）の外側面には、筐体（１１）を分離するための段差が形成されている。
2011138845.tif 000002
【特許請求の範囲】
【請求項１】
筒形状の筐体と、
半導体発光素子を有する光源と、
前記筐体の内部に設けられ、前記半導体発光素子を発光させるための点灯回路とを備え、
前記筐体の外側面には、前記筐体を分離するための段差が形成されている
ランプ。
【請求項２】
前記段差は、貫通溝であり、
前記ランプは、さらに、
前記貫通溝の両側面に接合され、引き出し可能に前記貫通溝に埋設されている分離部材を備える
請求項１に記載のランプ。
【請求項３】
前記ランプは、さらに、
前記分離部材の端部に接続され、前記分離部材を前記貫通溝から引き出すための引き出し部材を備える
請求項２に記載のランプ。
【請求項４】
前記引き出し部材は、前記貫通溝に埋設され、
前記引き出し部材には、前記貫通溝の溝方向に穴が形成されている
請求項３に記載のランプ。
【請求項５】
前記貫通溝は、第１の溝部と、前記第１の溝部の底部に形成され、前記第１の溝部よりも溝幅が狭い第２の溝部とを含み、
前記分離部材は、少なくとも前記第２の溝部に埋設され、
前記引き出し部材は、前記第１の溝部に埋設されている
請求項４に記載のランプ。
【請求項６】
前記筐体には、さらに、前記貫通溝と交差する交差溝が形成され、
前記引き出し部材は、前記交差溝に埋設されている
請求項３に記載のランプ。
【請求項７】
前記引き出し部材は、前記交差溝の溝方向に穴が形成されている
請求項６に記載のランプ。
【請求項８】
前記ランプは、さらに、
前記交差溝の開口を覆うように設けられるカバー部材を備える
請求項６又は７に記載のランプ。
【請求項９】
前記カバー部材は、前記交差溝を金属粉でコーティングすることにより形成されている
請求項８に記載のランプ。
【請求項１０】
前記ランプは、さらに、
前記筐体の内部に配置され、前記半導体発光素子に電力を供給するための給電線と、
前記分離部材が引き出されるときに前記給電線を切断する断線手段とを備える
請求項２〜９のいずれか１項に記載のランプ。
【請求項１１】
前記断線手段は、
前記分離部材に接続されている刃状部材取付部と、
前記刃状部材取付部に取り付けられる刃形状の刃状部材とを含み、
前記給電線は、前記分離部材と前記刃状部材との間を通るように配置されている
請求項１０に記載のランプ。
【請求項１２】
前記ランプは、さらに、
前記給電線が前記刃状部材に向かって移動することを規制する規制手段を備える
請求項１１に記載のランプ。
【請求項１３】
前記段差は、
前記筐体の外側面の全周にわたって形成されている第１の溝部と、
前記第１の溝部よりも溝幅が狭い第２の溝部であって、前記第１の溝部の底部に形成され、かつ、前記第１の溝部の周方向の一部に形成されている第２の溝部とを含む
請求項１に記載のランプ。
【請求項１４】
前記段差は、前記筐体の周方向に形成されている
請求項１〜１２のいずれか１項に記載のランプ。
【請求項１５】
前記筐体は、金属からなる
請求項１〜１４のいずれか１項に記載のランプ。
【請求項１６】
請求項１〜１５のいずれか１項に記載のランプと、
前記ランプを保持する保持部とを備える
照明装置。
【発明の詳細な説明】
【技術分野】
【０００１】
本発明は、ランプ及び照明装置に関し、特に、半導体発光素子を有する光源を備えるランプ及び照明装置に関する。
【背景技術】
【０００２】
近年、ＬＥＤ（Ｌｉｇｈｔ  Ｅｍｉｔｔｉｎｇ  Ｄｉｏｄｅ）等の半導体発光素子を備えるランプ（以下、「ＬＥＤランプ」という）は、従来の白熱電球又はハロゲン電球に比べて高効率及び長寿命であることから、白熱電球又はハロゲン電球に代わるランプとして利用されつつある。このような状況から、将来、廃棄されるＬＥＤランプが増大することが予想され、ＬＥＤランプに含まれる各種資源を有効に再資源化（リサイクル）することが重要となる。【０００３】
例えば、ＬＥＤランプを構成する部品に含まれる、金又は白金などの希少金属あるいはガリウムなどの重金属は、回収され、再資源化されることが好ましい。ＬＥＤランプは、従来の白熱電球又はハロゲン電球に比べて使用される部品も多いため、リサイクルされることの効果も大きい。【０００４】
ＬＥＤランプを効率的にリサイクルするためには、ＬＥＤランプの内部に含まれる部品が取り出される必要がある。そこで、ＬＥＤランプは、リサイクル時に比較的容易に解体されうることが好ましい。【０００５】
ところで、一般的な家電製品の分野において、リサイクル時の解体を容易にする各種技術が提案されている（例えば、特許文献１を参照）。特許文献１には、係合爪を活用し、ねじの使用本数を少なくすることにより解体を容易にする技術が開示されている。
【先行技術文献】
【特許文献】
【０００６】
【特許文献１】特開平６−１１２６６５号公報
【発明の概要】
【発明が解決しようとする課題】
【０００７】
一般的に、従来のＬＥＤランプでは、筐体がヒートシンクとして機能しているため、頑強な金属製の筐体が使用されることが多い。また、筐体の形状は、放熱性を高めるための様々な形状が利用されており、統一が図られていない。その結果、従来のＬＥＤランプは、リサイクル時に容易に解体することができないという問題があった。【０００８】
そこで、本発明は、上記課題に鑑みてなされたものであり、リサイクル時の解体が容易なランプを提供することを目的とする。
【課題を解決するための手段】
【０００９】
上記目的を達成するために、本発明の一態様に係るランプは、筒形状の筐体と、半導体発光素子を有する光源と、前記筐体の内部に設けられ、前記半導体発光素子を発光させるための点灯回路とを備え、前記筐体の外側面には、前記筐体を分離するための段差が形成されている。【００１０】
このように、筐体を分離するための段差が形成されているので、リサイクル業者は、容易に筐体を分離することができ、ランプを解体することができる。【００１１】
また、前記段差は、貫通溝であり、前記ランプは、さらに、前記貫通溝の両側面に接合され、引き出し可能に前記貫通溝に埋設されている分離部材を備えることが好ましい。【００１２】
これにより、リサイクル業者は、切断工具を用いなくても、分離部材を貫通溝から引き出すことにより筐体を分離することができ、ランプの解体がさらに容易になる。【００１３】
また、前記ランプは、さらに、前記分離部材の端部に接続され、前記分離部材を前記貫通溝から引き出すための引き出し部材を備えることが好ましい。【００１４】
これにより、引き出し部材を引き出すことにより分離部材を貫通溝から引き出すことができ、ランプの解体がさらに容易になる。【００１５】
また、前記引き出し部材は、前記貫通溝に埋設され、前記引き出し部材には、前記貫通溝の溝方向に穴が形成されていることが好ましい。【００１６】
これにより、引き出し部材に形成された穴を利用して引き出し部材を引き出すことができるので、ランプの解体がさらに容易になる。また、引き出し部材は、貫通溝に埋設されるので、安易に引き出し部材が引っ張られること、又は意図せずに引き出し部材が引っ張られること（引き出し部材が何かに引っ掛かるなど）などを抑制することができ、リサイクル時以外に筐体が分離されることを抑制することができる。【００１７】
また、前記貫通溝は、第１の溝部と、前記第１の溝部の底部に形成され、前記第１の溝部よりも溝幅が狭い第２の溝部とを含み、前記分離部材は、少なくとも前記第２の溝部に埋設され、前記引き出し部材は、前記第１の溝部に埋設されていることが好ましい。【００１８】
これにより、引き出し部材は、第１の溝部に埋設されるので、安易に引き出し部材が引っ張られること、又は意図せずに引き出し部材が引っ張られること（引き出し部材が何かに引っ掛かるなど）などを抑制することができ、リサイクル時以外に筐体が分離されることを抑制することができる。【００１９】
また、前記筐体には、さらに、前記貫通溝と交差する交差溝が形成され、前記引き出し部材は、前記交差溝に埋設されていることが好ましい。【００２０】
これにより、安易に引き出し部材が引っ張られること、又は意図せずに引き出し部材が引っ張られること（引き出し部材が何かに引っ掛かることなど）などを抑制することができ、リサイクル時以外に筐体が分離されることを抑制することができる。【００２１】
また、前記引き出し部材は、前記交差溝の溝方向に穴が形成されていることが好ましい。【００２２】
これにより、引き出し部材に形成された穴を利用して引き出し部材を引き出すことができるので、ランプの解体がさらに容易になる。【００２３】
また、前記ランプは、さらに、前記交差溝の開口を覆うように設けられるカバー部材を備えることが好ましい。【００２４】
これにより、分離部材を貫通溝から引き出すための引き出し部材が隠蔽されるので、使用者が、安易に引き出し部材を引っ張って、筐体を分離することを抑制することができる。【００２５】
また、前記カバー部材は、前記交差溝を金属粉でコーティングすることにより形成されていることが好ましい。【００２６】
これにより、引き出し部材を容易に隠蔽することができる。【００２７】
また、前記ランプは、さらに、前記筐体の内部に配置され、前記半導体発光素子に電力を供給するための給電線と、前記分離部材が引き出されるときに前記給電線を切断する断線手段とを備えることが好ましい。【００２８】
これにより、分離部材によって筐体が分離されるときには給電線も切断されるので、筐体が分離された後に、当該ランプが使用されること抑制し、安全性を向上させることができる。【００２９】
また、前記断線手段は、前記分離部材に接続されている刃状部材取付部と、前記刃状部材取付部に取り付けられる刃形状の刃状部材とを含み、前記給電線は、前記分離部材と前記刃状部材との間を通るように配置されていることが好ましい。【００３０】
これにより、刃状部材によって給電線を切断することができる。【００３１】
また、前記ランプは、さらに、前記給電線が前記刃状部材に向かって移動することを規制する規制手段を備えることが好ましい。【００３２】
これにより、筐体を分離する時以外に給電線が刃状部材によって切断されることを抑制することができる。【００３３】
また、前記段差は、前記筐体の外側面の全周にわたって形成されている第１の溝部と、前記第１の溝部よりも溝幅が狭い第２の溝部であって、前記第１の溝部の底部に形成され、かつ、前記第１の溝部の周方向の一部に形成されている第２の溝部とを含むことが好ましい。【００３４】
これにより、第１の溝部のうち第２の溝部が形成されていない部分を、切断工具などを利用して切断した後に、比較的小さな外力で筐体を分離することが可能となる。【００３５】
また、前記段差は、前記筐体の周方向に形成されていることが好ましい。【００３６】
これにより、筐体が分離された後の解体が容易となる。【００３７】
また、前記筐体は、金属からなることが好ましい。【００３８】
これにより、内部の熱を筐体を介して効率的に放出することが可能となる。【００３９】
また、上記目的を達成するために、本発明の一態様に係る照明装置は、上記ランプと、前記ランプを保持する保持部とを備える。【００４０】
これにより、上記ランプと同様の効果を奏することができる。
【発明の効果】
【００４１】
以上の説明から明らかなように、本発明の一態様に係るランプ又は照明装置によれば、ランプを分離するための段差が形成されているので、リサイクル業者は、容易に筐体を分離し、ランプを解体することができる。
【図面の簡単な説明】
【００４２】
【図１】図１は、本発明の実施の形態１に係るランプの正面図である。
【図２】図２は、本発明の実施の形態１に係るランプの分解斜視図である。
【図３】図３は、本発明の実施の形態１に係るランプの断面図である。
【図４】図４は、本発明の実施の形態１に係るランプに形成された溝の拡大断面図である。
【図５】図５は、本発明の実施の形態１に係るランプの解体方法の一例を説明するための図である。
【図６】図６は、本発明の実施の形態２に係るランプの正面図である。
【図７】図７は、本発明の実施の形態２に係るランプに形成された溝の拡大断面図である。
【図８】図８は、本発明の実施の形態３に係るランプの正面図である。
【図９】図９は、本発明の実施の形態３に係るランプに形成された溝の拡大断面図である。
【図１０】図１０は、本発明の実施の形態３に係るランプに形成された交差溝の拡大断面図である。
【図１１】図１１は、本発明の実施の形態３に係る引き出し部材の斜視図である。
【図１２】図１２は、本発明の実施の形態３に係るランプの解体方法の一例を説明するための図である。
【図１３】図１３は、本発明の実施の形態４に係るランプの正面図である。
【図１４】図１４は、本発明の実施の形態４に係るランプに形成された溝及び引き出し部材の拡大断面図である。
【図１５】図１５は、本発明の実施の形態５に係るランプのグローブ、ＬＥＤモジュール及びＬＥＤモジュール取り付け部材が取り外された状態の斜視図である。
【図１６】図１６は、本発明の実施の形態５に係るランプの断線手段近傍の拡大断面図である。
【図１７】図１７は、本発明の一態様に係る照明装置の概略断面図である。
【発明を実施するための形態】
【００４３】
以下に、本発明の実施の形態について、図面を参照しながら説明する。
【００４４】
（実施の形態１）
本発明の実施の形態１に係るランプ１０の全体構成について、図１〜３を参照して説明する。図１は、本発明の実施の形態１に係るランプの正面図である。図２は、本発明の実施の形態１に係るランプの分解斜視図である。図３は、本発明の実施の形態１に係るランプの断面図である。具体的には、図３は、図１のＡ１−Ａ１線における断面図である。
【００４５】
図１〜３に示すように、本実施の形態に係るランプ１０は、電球型のＬＥＤランプである。ランプ１０は、グローブ１０１と、ＬＥＤモジュール１０２と、ＬＥＤモジュール取り付け部材１０３と、電源回路１０４と、樹脂ケース１０５と、樹脂キャップ１０６と、絶縁リング１０７と、口金１０８と、筐体１１とを備える。
【００４６】
グローブ１０１は、ＬＥＤモジュール１０２から放出される光をランプ外部に放射するための半球状の透光性カバーである。グローブ１０１は、ＬＥＤモジュール１０２から放出される光を拡散させるために、すりガラス処理等の光拡散処理が施されたガラス材からなる。グローブ１０１の開口端部はＬＥＤモジュール取り付け部材１０３の上面に当接して配置される。グローブ１０１は、耐熱性を有するシリコン系接着剤によって筐体１１に固着される。
【００４７】
なお、グローブ１０１の形状は半球形状に限らず、回転楕円体形状あるいは偏球体形状であっても構わない。また、本実施の形態において、グローブ１０１の材質はガラス材としたが、グローブ１０１の材質はガラス材に限らず、合成樹脂等であっても構わない。
【００４８】
ＬＥＤモジュール１０２は、所定の色の照明光を放出する光源である。ＬＥＤモジュール１０２は、基板と、当該基板上に実装された複数のＬＥＤチップ（半導体発光素子）とを含む。ＬＥＤチップには、ＧａＡｓ系あるいはＧａＰ系などのガリウム系半導体が用いられることが多い。
【００４９】
ＬＥＤモジュール取り付け部材１０３は、ＬＥＤモジュール１０２を保持するための金属基板からなるホルダ（モジュールプレート）である。本実施の形態では、ＬＥＤモジュール取り付け部材１０３は、アルミダイキャストによって円盤形状に成形された部材である。なお、ＬＥＤモジュール取り付け部材１０３には、電源回路１０４とＬＥＤモジュール１０２とを電気的に接続する給電線１０４ａを通すための切り欠き部が形成されている。
【００５０】
電源回路１０４は、半導体発光素子を発光させるための点灯回路に相当する。具体的には、電源回路１０４は、ＬＥＤモジュール１０２のＬＥＤチップを発光させるため回路を構成する複数の回路素子と、各回路素子が実装される回路基板とを有する。電源回路１０４は、口金１０８から受電した交流電力を直流電力に変換し、給電線１０４ａを介してＬＥＤモジュール１０２のＬＥＤチップに当該直流電力を供給する。
【００５１】
樹脂ケース１０５は、電源回路１０４を収納するためのケースである。また、樹脂ケース１０５は、筐体１１と略同形状である。樹脂ケース１０５は、筐体１１と隙間をあけて配置される。
【００５２】
樹脂キャップ１０６は、樹脂ケース１０５の上方開口を塞ぐ、略円板形状のふたである。樹脂キャップ１０６には、給電線１０４ａを通すための貫通穴が形成されている。
【００５３】
絶縁リング１０７は、口金１０８と筐体１１との絶縁を確保するための部材であり、口金１０８と筐体１１との間に配置されている。絶縁リング１０７の内周面は樹脂ケース１０５の下方の外側面に当接されている。絶縁リング１０７は、樹脂ケース１０５と口金１０８とが螺着されることにより、口金１０８の開口端部と筐体１１の開口端部とによって挟持される。
【００５４】
口金１０８は、二接点によって交流電力を受電するための受電部である。口金１０８で受電した電力は給電線（不図示）を介して電源回路１０４の電力入力部に入力される。
【００５５】
筐体１１は、上下方向に２つの開口部を有する筒形状の部材である。また、筐体１１は、金属製の部材である。本実施の形態では、筐体１１は、アルミニウム合金材料で構成されている。この筐体１１は、ＬＥＤモジュール１０２から発生する熱を外部に放出するヒートシンクとして機能する。そこで、筐体１１の表面は、熱放射率を向上させるためにアルマイト処理が施されている。
【００５６】
また、筐体１１の外側面には、筐体１１を分離するための溝１２が形成されている。この溝１２は、段差の一例である。ここで、分離とは、筐体１１を２つ以上の部分に分けることをいう。なお、分離された２つ以上の部分は、必ずしも完全に切り離される必要はなく、一部が接続されていても構わない。
【００５７】
本実施の形態では、溝１２は、筐体１１の周方向に全周にわったって形成されている。また、溝１２は、ＬＥＤモジュール１０２と電源回路１０４との間に形成されている。
【００５８】
なお、溝１２は、必ずしも、筐体１１の全周にわったって形成される必要はない。溝１２は、筐体１１の一部に形成されてもよい。具体的には、溝１２は、筐体１１の周方向に１８０度以上形成されることが好ましい。これにより、リサイクル業者は、溝１２が形成された部分を切断した後に、手あるいは機械などにより比較的小さな外力を筐体１１の上下方向に加えることによって筐体１１を分離することが可能となる。
【００５９】
また、溝１２が形成された領域の筐体１１の厚みは周方向に一様であることが好ましい。これにより、リサイクル業者は、溝１２が形成された周方向のどの位置であっても、容易に筐体を分離することができる。
【００６０】
図４は、本発明の実施の形態１に係るランプに形成された溝の拡大断面図である。具体的には、図４は、図３に示す領域Ｂの拡大図である。
【００６１】
図４に示すように、溝１２の断面形状は円弧形状である。溝１２が形成されている領域における筐体１１の厚みは、溝１２が形成されていない、溝１２の近傍の領域における筐体１１の厚みよりも薄い。
【００６２】
なお、溝１２の断面形状は、必ずしも円弧形状である必要はない。例えば、溝１２の断面形状は、三角形状あるいは矩形状などであってもよい。
【００６３】
また、溝１２が形成された領域の少なくとも一部における筐体１１の厚みは、溝１２が形成されていない近傍の領域における筐体１１の厚みの半分以下であることが好ましい。これにより、リサイクル業者は、溝１２の底部を切断することにより、筐体１１をさらに容易に分離することが可能となる。
【００６４】
次に、以上のように構成されたランプ１０の解体方法について説明する。
【００６５】
図５は、本発明の実施の形態１に係るランプの解体方法の一例を説明するための図である。
【００６６】
図５の（ａ）に示すように、リサイクル業者は、例えば、レーザカッター又はのこぎりなどのカッター２０１を用いて、溝１２の位置で筐体１１を切断する。その結果、図５の（ｂ）及び（ｃ）に示すように、ランプ１０は上下に分離される。
【００６７】
このとき、ＬＥＤモジュール１０２は、図５の（ｂ）に示す上部筐体１１ａ内に含まれ、電源回路１０４は、図５の（ｃ）に示す下部筐体１１ｂ内に含まれる。つまり、ＬＥＤモジュール１０２及び電源回路１０４が大きく破損することなく、ランプ１０は、上下に分離される。また、給電線１０４ａは、周方向に形成された溝１２と交差しているので、図５の（ｃ）に示すように、筐体１１を切断したときに給電線１０４ａも切断される。
【００６８】
そして、リサイクル業者は、このように上下に分離されたランプ１０から、ＬＥＤモジュール１０２及び電源回路１０４を取り出し、ランプ１０を解体する。例えば、リサイクル業者は、グローブ１０１を物理的に破壊して、ＬＥＤモジュール１０２を取り出す。また例えば、リサイクル業者は、樹脂キャップ１０６を取り外し、樹脂ケース１０５内に設置されたＬＥＤモジュール１０２を取り出す。さらに、リサイクル業者は、樹脂ケース１０５、絶縁リング１０７及び口金１０８を筐体１１から取り外す。
【００６９】
以上のように、本実施の形態に係るランプ１０には、筐体１１を分離するための溝１２が形成されているので、リサイクル業者は、溝１２が形成されている、筐体１１の厚みが薄い部分を切断することにより、容易に筐体を分離し、ランプを解体することができる。
【００７０】
また、刃を有する切断工具を用いて筐体１１を切断する場合には、リサイクル業者は、刃を溝に挿入して切断することができるので、切断時における刃の位置合わせも容易となり、筐体１１を容易に切断することができる。
【００７１】
なお、本実施の形態では、溝１２が筐体１１の外側面に形成されていたが、必ずしも溝１２が形成される必要はない。例えば、筐体１１の外側面が階段状に形成されていてもよい。つまり、筐体１１の外側面には、筐体１１を分離するための段差が形成されていればよい。これにより、刃を有する切断工具を用いて筐体１１を切断する場合に、リサイクル業者は、段差を利用して刃の位置合わせを行うことができ、容易に筐体１１を切断することができる。つまり、リサイクル業者は、容易に筐体を分離し、ランプを解体することが可能となる。
【００７２】
（実施の形態２）
次に、本発明の実施の形態２について説明する。
【００７３】
本実施の形態に係るランプ２０は、実施の形態１に係るランプ１０と溝の形状が異なるが、他はランプ１０と同様である。したがって、溝の形状を中心に、本実施の形態に係るランプ２０について以下に説明する。
【００７４】
図６は、本発明の実施の形態２に係るランプの正面図である。図６において、図１に示す構成要素と同様の構成要素については、同一の符号を付し、説明を省略する。
【００７５】
筐体２１には、実施の形態１に係る筐体１１と同様の位置に、実施の形態１に係る溝１２とは形状が異なる溝２２が形成されている。
【００７６】
図７は、本発明の実施の形態２に係るランプに形成された溝の拡大断面図である。具体的には、図７は、図６のＡ２−Ａ２線における断面図の溝近傍を拡大した図である。図７に示すように、溝２２は、筐体２１の周方向に形成され、第１の溝部２２ａと第２の溝部２２ｂとを含む。
【００７７】
第１の溝部２２ａは、筐体２１の全周にわたって形成されている。また、第１の溝部２２ａの断面形状は、矩形状である。
【００７８】
第２の溝部２２ｂは、第１の溝部２２ａの底部に形成され、第１の溝部２２ａよりも溝幅が狭い。第２の溝部２２ｂは、筐体２１の周方向の一部に形成されている。また、第２の溝部２２ｂの断面形状は、三角形状である。
【００７９】
なお、第１の溝部２２ａの断面形状と、第２の溝部２２ｂの断面形状とは、上記の形状に限定されるものではない。例えば、第１の溝部２２ａの断面形状と、第２の溝部２２ｂの断面形状とは、ともに円弧形状であってもよい。
【００８０】
次に、以上のように構成されたランプ２０の解体方法について説明する。
【００８１】
リサイクル業者は、例えば、レーザカッター又はのこぎりなどのカッターを用いて、第１の溝部２２ａのうち第２の溝部２２ｂが形成されていない部分を切断する。そして、リサイクル業者は、ランプ２０の上部と下部とを引き離す方向に力を加えることにより、第２の溝部２２ｂが形成された部分を破断する。
【００８２】
このように、リサイクル業者は、溝２２が形成された位置において、ランプ２０を上下に分離することができる。なお、第２の溝部２２ｂが形成されている部分は、筐体２１の厚みが薄いので、リサイクル業者は、比較的小さな力を加えるだけで、第２の溝部２２ｂが形成された部分を破断することができる。
【００８３】
以上のように、本実施の形態に係るランプ２０は、第２の溝部２２ｂが形成されていない部分の溝２２を、切断工具などを利用して切断した後に、比較的小さな外力で筐体２１を分離することが可能となる。したがって、リサイクル業者は、容易にランプ２０を解体することができる。
【００８４】
（実施の形態３）
次に、本発明の実施の形態３について説明する。
【００８５】
本実施の形態に係るランプ３０は、分離部材等を備える点及び溝の形状等が、実施の形態１に係るランプ１０と異なるが、他は実施の形態１に係るランプ１０と同様である。したがって、実施の形態１に係るランプ１０と異なる点を中心に、本実施の形態に係るランプ３０について以下に説明する。
【００８６】
図８は、本発明の実施の形態３に係るランプの正面図である。図８において、図１に示す構成要素と同様の構成要素については、同一の符号を付し、説明を省略する。
【００８７】
筐体３１の外側面には、溝３２が周方向に形成されている。本実施の形態では、溝３２は、ＬＥＤモジュール取り付け部材１０３の下方に形成されている。
【００８８】
さらに、筐体３１の外側面には、溝３２と交差する交差溝３３が形成されている。本実施の形態では、交差溝３３は、筐体３１の軸方向に形成されている。
【００８９】
図９は、本発明の実施の形態３に係るランプに形成された溝の拡大断面図である。具体的には、図９は、図８のＡ３−Ａ３線における断面図の溝近傍を拡大した図である。
【００９０】
図９に示すように、溝３２は貫通溝である。また、溝３２には、分離部材３４が埋設されている。
【００９１】
分離部材３４は、溝３２の両側面に接合され、引き出し可能に溝３２に埋設されている。本実施の形態では、分離部材３４は、溝３２の両側面に接着剤などを用いて接着されている紐状の部材である。また、分離部材３４の断面形状は、凸形状であり、凸部の両側面のそれぞれが溝３２の両側面のそれぞれと接合されている。
【００９２】
なお、分離部材３４の断面形状は、凸形状であることが好ましいが、必ずしも凸形状である必要はない。例えば、分離部材３４の断面形状は、単なる矩形状であってもよい。つまり、分離部材３４の断面形状は、溝３２の両側面に接合されうる形状であって、溝３２から引き出し可能な形状であればどのような形状であってもよい。
【００９３】
以下に、引き出し部材３５について、図１０及び図１１を用いて説明する。
【００９４】
図１０は、本発明の実施の形態３に係るランプの交差溝の拡大断面図である。具体的には、図１０は、図８に示す領域Ｃの拡大断面図である。また、図１１は、本発明の実施の形態３に係る引き出し部材の斜視図である。
【００９５】
交差溝３３には、引き出し部材３５が埋設されている。この引き出し部材３５は、分離部材３４を溝３２から引き出すための部材である。また、引き出し部材３５は、分離部材３４の端部に接続されている。
【００９６】
引き出し部材３５は、円筒形状の部材である。つまり、引き出し部材３５には、貫通穴が形成されている。この貫通穴は、交差溝３３の溝方向に形成されている。なお、引き出し部材３５は、そのすべてが交差溝３３に埋設されることが好ましいが、一部のみが埋設されても構わない。
【００９７】
また、引き出し部材３５は、必ずしも円筒形状である必要はない。例えば、引き出し部材３５は、多角筒形状であってもよい。また、引き出し部材３５には、必ずしも貫通穴が形成される必要もない。引き出し部材３５は、リサイクル業者が引き出し部材３５を交差溝３３から容易に引き出すことができる形状であればよい。例えば、引き出し部材３５の少なくとも一方の端部に非貫通穴が形成されてもよい。この場合、リサイクル業者は、この非貫通穴に工具を引っ掛けて引き出し部材３５を交差溝３３から引き出せばよい。
【００９８】
交差溝３３の開口は、カバー部材３６によって覆われている。つまり、カバー部材３６は、交差溝３３の開口を覆うように設けられている。このカバー部材３６は、例えば、交差溝３３を金属粉でコーティングすることにより形成される。
【００９９】
なお、カバー部材３６は、必ずしも、交差溝３３を金属粉でコーティングすることにより形成される必要はない。カバー部材３６は、交差溝３３に埋設された引き出し部材３５を隠蔽できる部材であればよい。例えば、カバー部材３６は、交差溝３３を覆うように筐体３１の外側面に貼付されたフィルム状部材であってもよい。また、カバー部材３６は、ランプ３０に設けられることが好ましいが、必ずしも設けられる必要はない。
【０１００】
次に、以上のように構成されたランプ３０の解体方法について説明する。
【０１０１】
図１２は、本発明の実施の形態３に係るランプの解体方法の一例を説明するための図である。
【０１０２】
図１２の（ａ）に示すように、リサイクル業者は、交差溝３３に埋設された引き出し部材３５の貫通穴に工具２０２を挿入する。続いて、図１２の（ｂ）に示すように、リサイクル業者は、工具２０２を引っ張ることにより、引き出し部材３５を交差溝３３から引き出すとともに、引き出し部材３５に物理的に接続された分離部材３４を溝３２から引き出す。
【０１０３】
そして、図１２の（ｃ）に示すように、リサイクル業者は、分離部材３４のすべてを溝３２から引き出すことにより、ランプ３０を上下に分離することができる。
【０１０４】
なお、溝３２は、ＬＥＤモジュール取り付け部材１０３より下方に形成されている。したがって、上部筐体３１ａ内には、ＬＥＤモジュール１０２が含まれ、下部筐体３１ｂには、電源回路１０４が含まれる。
【０１０５】
そして、リサイクル業者は、このように上下に分離されたランプ３０から、ＬＥＤモジュール１０２及び電源回路１０４を取り出し、ランプ３０を解体する。
【０１０６】
以上のように、本実施の形態に係るランプ３０は、分離部材３４を備えているので、リサイクル業者は、切断工具を用いなくても、分離部材３４を溝から引き出すことにより筐体３１を分離することができる。したがって、リサイクル業者は、ランプ３０を容易に解体することができる。
【０１０７】
また、ランプ３０は、引き出し部材３５を備えているので、リサイクル業者は、引き出し部材３５を引き出すことにより分離部材３４を溝３２から引き出すことができ、ランプ３０の解体がさらに容易になる。
【０１０８】
また、引き出し部材３５は交差溝３３に埋設されるので、使用者に安易に引き出し部材３５が引き出されること、又は意図せずに引き出し部材３５が引き出されること（引き出し部材３５が何かに引っ掛かることなど）を抑制することができ、リサイクル時以外に筐体３１が分離されることを抑制することができる。
【０１０９】
また、引き出し部材３５には、穴が形成されるので、リサイクル業者は、その穴を利用して引き出し部材３５を引き出すことができ、ランプ３０の解体がさらに容易になる。
【０１１０】
また、ランプ３０は、金属粉でコーティングすることにより形成されるカバー部材３６を備えているので、引き出し部材３５は隠蔽される。したがって、使用者が、引き出し部材３５を引っ張って、筐体３１を分離することを抑制することができる。
【０１１１】
（実施の形態４）
次に、本発明の実施の形態４について説明する。
【０１１２】
本実施の形態に係るランプ４０は、実施の形態３に係るランプ３０と同様に、分離部材及び引き出し部材を備える。しかし、ランプ４０の溝及び引き出し部材は、ランプ３０の溝及び引き出し部材と異なる。したがって、実施の形態３に係るランプ３０と異なる点を中心に、本実施の形態に係るランプ４０について以下に説明する。
【０１１３】
図１３は、本発明の実施の形態４に係るランプの正面図である。また、図１４は、本発明の実施の形態４に係るランプに形成された溝の拡大断面図である。具体的には、図１４は、図１３のＡ４−Ａ４線における断面図の溝近傍を拡大した図である。なお、図１３において、図１に示す構成要素と同様の構成要素については、同一の符号を付し、説明を省略する。
【０１１４】
筐体４１の外側面には、溝４２が周方向に形成されている。溝４２は、貫通溝であり、第１の溝部４２ａと第２の溝部４２ｂとを含む。
【０１１５】
第１の溝部４２ａは、筐体４１の全周にわたって形成されている。また、第１の溝部４２ａの断面形状は、矩形状である。
【０１１６】
第２の溝部４２ｂは、第１の溝部４２ａの底部に形成され、第１の溝部４２ａよりも溝幅が狭い。第２の溝部４２ｂは、筐体４１の周方向の一部に形成されている。また、第２の溝部４２ｂの断面形状は、矩形状である。
【０１１７】
分離部材４３は、第２の溝部４２ｂの両側面に接合され、引き出し可能に、少なくとも第２の溝部４２ｂに埋設されている。
【０１１８】
引き出し部材４４は、分離部材４３を溝４２から引き出すための部材であり、第１の溝部４２ａに埋設されている。この引き出し部材４４は、分離部材４３の端部に接続されている。
【０１１９】
また、引き出し部材４４は、四角筒形状の部材である。つまり、引き出し部材４４には、貫通穴が形成されている。この貫通穴は、溝４２の溝方向に形成されている。
【０１２０】
なお、引き出し部材４４は、必ずしも四角筒形状である必要はない。例えば、引き出し部材４４は、円筒形状であってもよい。また、引き出し部材４４には、必ずしも貫通穴が形成される必要もない。引き出し部材４４は、リサイクル業者が引き出し部材４４を溝４２から容易に引き出すことができる形状であればよい。例えば、引き出し部材４４の少なくとも一方の端部に非貫通穴が形成されてもよい。この場合、リサイクル業者は、この非貫通穴に工具を引っ掛けて引き出し部材４４を溝４２から引き出せばよい。
【０１２１】
以上のように構成されたランプ４０の解体方法は、実施の形態３に係るランプ３０と同様であるので、説明を省略する。
【０１２２】
以上のように、本実施の形態に係るランプ４０は、分離部材４３を備えているので、リサイクル業者は、切断工具を用いなくても、分離部材４３を溝から引き出すことにより筐体４１を分離することができる。したがって、リサイクル業者は、ランプ４０を容易に解体することができる。
【０１２３】
また、ランプ４０は、引き出し部材４４を備えているので、リサイクル業者は、引き出し部材４４を引き出すことにより分離部材４３を溝４２から引き出すことができ、ランプ４０の解体がさらに容易になる。
【０１２４】
また、引き出し部材４４は溝４２に埋設されるので、安易に引き出し部材４４が引っ張られること、又は誤って引き出し部材４４が引っ張られること（引き出し部材４４が何かに引っ掛かることなど）を抑制することができ、リサイクル時以外に筐体４１が分離されることを抑制することができる。
【０１２５】
また、引き出し部材４４には、穴が形成されるので、リサイクル業者は、その穴を利用して引き出し部材４４を引き出すことができ、ランプ４０の解体がさらに容易になる。
【０１２６】
（実施の形態５）
次に、本発明の実施の形態５について説明する。
【０１２７】
本実施の形態に係るランプ５０は、給電線を切断する断線手段を備える点が、実施の形態３に係るランプ３０と異なる。したがって、実施の形態３に係るランプ３０と異なる点を中心に、本実施の形態に係るランプ５０について以下に説明する。
【０１２８】
図１５は、本発明の実施の形態５に係るランプのグローブ、ＬＥＤモジュール及びＬＥＤモジュール取り付け部材が取り外された状態の斜視図である。
【０１２９】
図１５に示すように、ランプ５０は、実施の形態３に係るランプ３０が備える構成要素に加えて、さらに断線手段５１と規制手段５２とを備える。
【０１３０】
断線手段５１は、分離部材３４が引き出されたときに給電線１０４ａを切断する。断線手段５１の詳細は、図１６を用いて後述する。
【０１３１】
規制手段５２は、給電線１０４ａが刃状部材５１ｂに向かって移動することを規制する。本実施の形態では、規制手段５２は、通常使用時に、給電線１０４ａが刃状部材５１ｂに接触しないように、刃状部材５１ｂに向かって給電線１０４ａが移動することを規制する。本実施の形態では、規制手段５２は、粘着テープであり、筐体３１の内側面に給電線１０４ａを固定する。なお、規制手段５２は、必ずしも粘着テープである必要はない。例えば、規制手段５２は、接着剤、あるいは筐体３１の内側面に形成された溝などであってもよい。
【０１３２】
図１６は、本発明の実施の形態５に係るランプの断線手段近傍の拡大断面図である。図１６に示すように、断線手段５１は、刃状部材取付部５１ａと、刃状部材５１ｂとを含む。
【０１３３】
刃状部材取付部５１ａは、分離部材３４に接続されている。本実施の形態では、刃状部材取付部５１ａは、紐状の部材であって、その両端は、分離部材３４の異なる位置に物理的に接続されている。
【０１３４】
刃状部材５１ｂは、刃状部材取付部５１ａに取り付けられた刃形状の部材である。刃状部材５１ｂは、給電線１０４ａが刃形状の先端に圧接されたときに、給電線１０４ａを切断する。
【０１３５】
そして、給電線１０４ａは、分離部材３４と刃状部材５１ｂとの間を通るように配置される。つまり、刃状部材５１ｂは、分離部材３４が溝３２から引き出される時に、給電線１０４ａに向かって移動し、給電線１０４ａを切断する。
【０１３６】
以上のように、本実施の形態に係るランプ５０は、断線手段５１を備えるので、分離部材３４によって筐体３１が分離されるときには給電線１０４ａも切断される。したがって、ランプ５０は、筐体３１が分離された後に、ランプ５０が使用されること抑制し、安全性を向上させることができる。
【０１３７】
また、ランプ５０は、給電線１０４ａが刃状部材５１ｂに向かって移動することを規制する規制手段５２を備えるので、筐体３１を分離する時以外に給電線１０４ａが刃状部材５１ｂによって切断されることを抑制できる。
【０１３８】
なお、本実施の形態において、断線手段５１は、電源回路１０４とＬＥＤモジュール１０２とを電気的に接続する給電線１０４ａを切断したが、口金１０８と電源回路１０４とを電気的に接続する給電線など他の給電線を切断してもよい。
【０１３９】
また、本実施の形態において、断線手段５１は、刃状部材５１ｂを備えていたが、必ずしも刃状部材５１ｂを備える必要はない。例えば、断線手段５１は、のこぎりなどのように板状部材の側面がジグザグ形状である部材を備えてもよい。また、例えば、断線手段５１は、単に給電線１０４ａと分離部材３４とを一体に移動させるための機構であってもよい。この場合、給電線１０４ａは、分離部材３４とともに強制的に引き出されるので、給電線１０４ａとＬＥＤモジュール１０２又は電源回路１０４との接続部など強度が弱い位置で切断される。
【０１４０】
以上、本発明の一態様に係るランプについて、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０１４１】
例えば、上記実施の形態において、溝は、周方向に形成されていたが、必ずしも溝は周方向に形成される必要はない。また、溝が形成される位置も、上記実施の形態において示した位置に限定されるわけではない。ランプ内部の部品の配置、又は筐体の形状などに応じて、溝が形成される方向及び位置は適宜変更されてもよい。例えば、溝は、軸方向に形成されてもよい。
【０１４２】
また、上記各実施の形態において、筐体は、内部に発生した熱を効率的に放出するために金属製であったが、必ずしも金属製である必要はない。例えば、ＬＥＤモジュール１０２の発熱が小さい場合、あるいは熱伝導率の高い樹脂素材等が開発された場合などには、筐体は樹脂その他の素材で構成されてもよい。
【０１４３】
また、上記実施の形態３〜５において、ランプは、引き出し部材を備えていたが、リサイクル業者が分離部材を溝から引き出すことができれば、必ずしも引き出し部材を備える必要はない。例えば、分離部材に、工具を引っ掛けることができる小さな貫通穴が形成されている場合などには、ランプは、引き出し部材を備えなくてもよい。
【０１４４】
また、本発明は、このようなランプとして実現することができるだけでなく、このようなランプを備える照明装置として実現することもできる。以下、本発明の一態様に係る照明装置について、図１７を参照しながら説明する。
【０１４５】
図１７は、本発明の一態様に係る照明装置の概略断面図である。
【０１４６】
照明装置１００は、例えば、室内の天井２００に装着されて使用され、図１７に示すように、ランプ１１０と点灯器具１２０とを備える。ランプ１１０には、上記の各実施の形態に係るランプを用いることができる。
【０１４７】
点灯器具１２０は、ランプ１１０を消灯及び点灯させるものであり、天井２００に取り付けられる器具本体１２１と、ランプ１１０を覆うランプカバー１２２とを備える。
【０１４８】
器具本体１２１は、保持部の一例であるソケット１２１ａを有する。ソケット１２１ａには、ランプ１１０の口金１１１が螺合される。このソケット１２１ａを介してランプ１１０に電力が供給される。
【０１４９】
なお、ここで示した照明装置１００は、本発明の一態様に係る照明装置１００の一例である。本発明の一態様に係る照明装置１００は、ランプを保持する保持部を少なくとも備えればよく、当該保持部を介してランプ１１０に電力が供給されればよい。例えば、照明装置１００は、ランプ１１０の口金１１１を螺合するためのソケット１２１ａを備える照明装置であってもよい。また、図１７に示す照明装置１００は、１つのランプ１１０を備えるが、複数のランプ１１０を備えてもよい。
【産業上の利用可能性】
【０１５０】
本発明は、ＬＥＤ等の半導体発光素子を光源とするランプ及びそのランプを備える照明装置等として有用である。
【符号の説明】
【０１５１】
１０、２０、３０、４０、５０、１１０  ランプ
１１、２１、３１、４１  筐体
１２、２２、３２、４２  溝
２２ａ、４２ａ  第１の溝部
２２ｂ、４２ｂ  第２の溝部
３３  交差溝
３４、４３  分離部材
３５、４４  引き出し部材
３６  カバー部材
５１  断線手段
５１ａ  刃状部材取付部
５１ｂ  刃状部材
５２  規制手段
１００  照明装置
１０１  グローブ
１０２  ＬＥＤモジュール
１０３  ＬＥＤモジュール取り付け部材
１０４  電源回路
１０４ａ  給電線
１０５  樹脂ケース
１０６  樹脂キャップ
１０７  絶縁リング
１０８、１１１  口金
１２０  点灯器具
１２１  器具本体
１２１ａ  ソケット
１２２  ランプカバー
２００  天井
２０１  カッター
２０２  工具
【図１】
2011138845.tif 000003
【図２】
2011138845.tif 000004
【図３】
2011138845.tif 000005
【図４】
2011138845.tif 000006
【図５】
2011138845.tif 000007
【図６】
2011138845.tif 000008
【図７】
2011138845.tif 000009
【図８】
2011138845.tif 000010
【図９】
2011138845.tif 000011
【図１０】
2011138845.tif 000012
【図１１】
2011138845.tif 000013
【図１２】
2011138845.tif 000014
【図１３】
2011138845.tif 000015
【図１４】
2011138845.tif 000016
【図１５】
2011138845.tif 000017
【図１６】
2011138845.tif 000018
【図１７】
2011138845.tif 000019
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
（削除）
【請求項２】
ランプであって、
筒形状の筐体と、
半導体発光素子を有する光源と、
前記筐体の内部に設けられ、前記半導体発光素子を発光させるための点灯回路とを備え、
前記筐体の外側面には、前記筐体を分離するための段差が形成されており、
前記段差は、貫通溝であり、
前記ランプは、さらに、
前記貫通溝の両側面に接合され、引き出し可能に前記貫通溝に埋設されている分離部材を備える
ランプ。
【請求項３】
前記ランプは、さらに、
前記分離部材の端部に接続され、前記分離部材を前記貫通溝から引き出すための引き出し部材を備える
請求項２に記載のランプ。
【請求項４】
前記引き出し部材は、前記貫通溝に埋設され、
前記引き出し部材には、前記貫通溝の溝方向に穴が形成されている
請求項３に記載のランプ。
【請求項５】
前記貫通溝は、第１の溝部と、前記第１の溝部の底部に形成され、前記第１の溝部よりも溝幅が狭い第２の溝部とを含み、
前記分離部材は、少なくとも前記第２の溝部に埋設され、
前記引き出し部材は、前記第１の溝部に埋設されている
請求項４に記載のランプ。
【請求項６】
前記筐体には、さらに、前記貫通溝と交差する交差溝が形成され、
前記引き出し部材は、前記交差溝に埋設されている
請求項３に記載のランプ。
【請求項７】
前記引き出し部材は、前記交差溝の溝方向に穴が形成されている
請求項６に記載のランプ。
【請求項８】
前記ランプは、さらに、
前記交差溝の開口を覆うように設けられるカバー部材を備える
請求項６又は７に記載のランプ。
【請求項９】
前記カバー部材は、前記交差溝を金属粉でコーティングすることにより形成されている
請求項８に記載のランプ。
【請求項１０】
前記ランプは、さらに、
前記筐体の内部に配置され、前記半導体発光素子に電力を供給するための給電線と、
前記分離部材が引き出されるときに前記給電線を切断する断線手段とを備える
請求項２〜９のいずれか１項に記載のランプ。
【請求項１１】
前記断線手段は、
前記分離部材に接続されている刃状部材取付部と、
前記刃状部材取付部に取り付けられる刃形状の刃状部材とを含み、
前記給電線は、前記分離部材と前記刃状部材との間を通るように配置されている
請求項１０に記載のランプ。
【請求項１２】
前記ランプは、さらに、
前記給電線が前記刃状部材に向かって移動することを規制する規制手段を備える
請求項１１に記載のランプ。
【請求項１３】
筒形状の筐体と、
半導体発光素子を有する光源と、
前記筐体の内部に設けられ、前記半導体発光素子を発光させるための点灯回路とを備え、
前記筐体の外側面には、前記筐体を分離するための段差が形成されており、
前記段差は、
前記筐体の外側面の全周にわたって形成されている第１の溝部と、
前記第１の溝部よりも溝幅が狭い第２の溝部であって、前記第１の溝部の底部に形成され、かつ、前記第１の溝部の周方向の一部に形成されている第２の溝部とを含む
ランプ。
【請求項１４】
前記段差は、前記筐体の周方向に形成されている
請求項２〜１２のいずれか１項に記載のランプ。
【請求項１５】
前記筐体は、金属からなる
請求項２〜１４のいずれか１項に記載のランプ。
【請求項１６】
請求項２〜１５のいずれか１項に記載のランプと、
前記ランプを保持する保持部とを備える
照明装置。
【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
ランプであって
筒形状の筐体と、
半導体発光素子を有する光源と、
前記筐体の内部に設けられ、前記半導体発光素子を発光させるための点灯回路とを備え、
前記筐体の外側面には、前記筐体を分離するための段差が形成されており、
前記段差は、貫通溝であり、
前記ランプは、さらに、
前記貫通溝の両側面に接合され、引き出し可能に前記貫通溝に埋設されている分離部材を備える
ランプ。
【請求項２】
前記ランプは、さらに、
前記分離部材の端部に接続され、前記分離部材を前記貫通溝から引き出すための引き出し部材を備える
請求項１に記載のランプ。
【請求項３】
前記引き出し部材は、前記貫通溝に埋設され、
前記引き出し部材には、前記貫通溝の溝方向に穴が形成されている
請求項２に記載のランプ。
【請求項４】
前記貫通溝は、第１の溝部と、前記第１の溝部の底部に形成され、前記第１の溝部よりも溝幅が狭い第２の溝部とを含み、
前記分離部材は、少なくとも前記第２の溝部に埋設され、
前記引き出し部材は、前記第１の溝部に埋設されている
請求項３に記載のランプ。
【請求項５】
前記筐体には、さらに、前記貫通溝と交差する交差溝が形成され、
前記引き出し部材は、前記交差溝に埋設されている
請求項２に記載のランプ。
【請求項６】
前記引き出し部材は、前記交差溝の溝方向に穴が形成されている
請求項５に記載のランプ。
【請求項７】
前記ランプは、さらに、
前記交差溝の開口を覆うように設けられるカバー部材を備える
請求項５又は６に記載のランプ。
【請求項８】
前記カバー部材は、前記交差溝を金属粉でコーティングすることにより形成されている
請求項７に記載のランプ。
【請求項９】
前記ランプは、さらに、
前記筐体の内部に配置され、前記半導体発光素子に電力を供給するための給電線と、
前記分離部材が引き出されるときに前記給電線を切断する断線手段とを備える
請求項１〜８のいずれか１項に記載のランプ。
【請求項１０】
前記断線手段は、
前記分離部材に接続されている刃状部材取付部と、
前記刃状部材取付部に取り付けられる刃形状の刃状部材とを含み、
前記給電線は、前記分離部材と前記刃状部材との間を通るように配置されている
請求項９に記載のランプ。
【請求項１１】
前記ランプは、さらに、
前記給電線が前記刃状部材に向かって移動することを規制する規制手段を備える
請求項１０に記載のランプ。
【請求項１２】
筒形状の筐体と、
半導体発光素子を有する光源と、
前記筐体の内部に設けられ、前記半導体発光素子を発光させるための点灯回路とを備え、
前記筐体の外側面には、前記筐体を分離するための段差が形成されており、
前記段差は、
前記筐体の外側面の全周にわたって形成されている第１の溝部と、
前記第１の溝部よりも溝幅が狭い第２の溝部であって、前記第１の溝部の底部に形成され、かつ、前記第１の溝部の周方向の一部に形成されている第２の溝部とを含む
ランプ。
【請求項１３】
前記段差は、前記筐体の周方向に形成されている
請求項１〜１１のいずれか１項に記載のランプ。
【請求項１４】
前記筐体は、金属からなる
請求項１〜１３のいずれか１項に記載のランプ。
【請求項１５】
請求項１〜１４のいずれか１項に記載のランプと、
前記ランプを保持する保持部とを備える
照明装置。
【国際調査報告】
2011138845.tif 000020
2011138845.tif 000021